(57)【要約】【課題】送信側の装置７１、７２から受信側の装置７３、７４へ信号を伝送する伝送装置において、受信側の装置におけるＤ／Ｕの特性が劣化した場合においても、効率的な伝送を行う。【解決手段】受信側の装置では、受信手段が送信側の装置から送信された信号を受信し、品質検出手段が受信手段により受信された信号に基づいて受信品質を検出し、品質情報送信手段が品質検出手段により検出された受信品質の情報を送信側の装置に対して送信する。送信側の装置では、品質情報受信手段が受信側の装置から送信された受信品質の情報を受信し、データ送信手段が、受信側の装置に対して信号を送信する機能を有し、品質情報受信手段により受信された受信品質の情報に基づいてＤ／Ｕが低いと判断した場合には伝送帯域を狭めて信号を送信する。【選択図】  図３
2008236664.tif 000002
【特許請求の範囲】
【請求項１】
送信側の装置から受信側の装置へ信号を伝送する伝送装置において、
前記受信側の装置は、前記送信側の装置から送信された信号を受信する受信手段と、
前記受信手段により受信された信号に基づいて受信品質を検出する品質検出手段と、
前記品質検出手段により検出された受信品質の情報を前記送信側の装置に対して送信する品質情報送信手段と、を備え、
前記送信側の装置は、前記受信側の装置から送信された受信品質の情報を受信する品質情報受信手段と、
前記受信側の装置に対して信号を送信する機能を有し、前記品質情報受信手段により受信された受信品質の情報に基づいてＤ／Ｕが低いと判断した場合には伝送帯域を狭めて信号を送信するデータ送信手段と、を備えた、
ことを特徴とする伝送装置。
【発明の詳細な説明】
【技術分野】
【０００１】
本発明は、送信側の装置から受信側の装置へ信号を伝送する伝送装置に関し、特に、受信側の装置におけるＤ／Ｕ（Ｄｅｓｉｒｅ／Ｕｎｄｅｓｉｒｅ）の特性が劣化した場合においても、効率的な伝送を行う伝送装置に関する。
【背景技術】
【０００２】
例えば、デジタルテレビジョンなどの放送システムでは、送信側の装置から受信側の装置へ番組やその素材などの映像や音声の信号を伝送する伝送装置が用いられている。このような伝送装置では、例えば、移動体の伝送でよく使用されるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式が使用されている。
【０００３】
図４には、伝送装置の受信側の装置に設けられた受信高周波部（ＲＨ）の構成例を示してある。
なお、説明の便宜上から、図４では、後述する実施例で参照する図１に示されるものと概略的に同様な構成部分については同一の符号を付してあるが、ここでは、本発明を不要に限定する意図はない。
また、図４に示される受信高周波部の構成や動作は、概略的には、図１に示される電話回線１４に関する構成や動作を有していない点を除いて、図１に示されるものと同様であるため、ここでは、詳しい説明は省略する。
【発明の開示】
【発明が解決しようとする課題】
【０００４】
しかしながら、図４に示されるような従来のＯＦＤＭ変調波の伝送装置では、Ｄ／Ｕの特性を良好にするためには、受信ＨＥＡＤ部である受信高周波部のＳＡＷフィルタ２２の特性に頼っていたが、それでも、Ｄ／Ｕが極端に悪くなった時には、それを回避することができなかった。
例えば、放送局では、電波を送るためのチャンネル（ＣＨ）は、通常２〜４個しか与えられず、Ｄ／Ｕのために１個のチャンネルを失うことを避けたいという要望が強くあった。
【０００５】
本発明は、このような従来の事情に鑑み為されたもので、送信側の装置から受信側の装置へ信号を伝送するに際して、受信側の装置におけるＤ／Ｕの特性が劣化した場合においても、効率的な伝送を行うことができる伝送装置を提供することを目的とする。
【課題を解決するための手段】
【０００６】
上記目的を達成するため、本発明では、送信側の装置から受信側の装置へ信号を伝送する伝送装置において、次のような構成とした。
すなわち、前記受信側の装置では、受信手段が、前記送信側の装置から送信された信号を受信する。品質検出手段が、前記受信手段により受信された信号に基づいて、受信品質を検出する。品質情報送信手段が、前記品質検出手段により検出された受信品質の情報を前記送信側の装置に対して送信する。
前記送信側の装置では、品質情報受信手段が、前記受信側の装置から送信された受信品質の情報を受信する。データ送信手段が、前記受信側の装置に対して信号を送信する機能を有しており、前記品質情報受信手段により受信された受信品質の情報に基づいて、Ｄ／Ｕが低い（悪い）と判断した場合には、伝送帯域を狭めて信号を送信する。
【０００７】
従って、送信側の装置から受信側の装置へ信号を伝送するに際して、受信側の装置における受信品質の情報を送信側の装置へ通知し、送信側の装置が当該受信品質の情報に基づいてＤ／Ｕが低いと判断した場合には信号の伝送に使用する伝送帯域を狭めるようにしたため、例えば、受信側の装置におけるＤ／Ｕの特性が劣化した場合においても、効率的な伝送を行うことができる。
【０００８】
ここで、伝送装置としては、種々なものに適用されてもよく、例えば、放送システムにおける伝送装置に適用することができる。
また、送信側の装置から受信側の装置へ信号を伝送する通信としては、例えば、無線の通信が用いられてもよく、或いは、有線の通信が用いられてもよい。
また、受信側の装置から送信側の装置へ受信品質の情報を伝送する通信としては、例えば、無線の通信が用いられてもよく、或いは、有線の通信が用いられてもよい。
【０００９】
また、受信側の装置において送信側の装置から受信された信号に基づいて受信品質を検出する際に参照される当該信号としては、例えば、データの信号が用いられてもよく、或いは、制御の信号が用いられてもよい。
また、受信品質としては、種々なものが用いられてもよく、例えば、Ｄ／Ｕの値や、受信電界の値などを用いることができる。
【００１０】
また、送信側の装置において受信側の装置における受信品質の情報に基づいてＤ／Ｕが低いと判断する仕方としては、例えば、予め設定された閾値と比べて、Ｄ／Ｕの値が閾値以下である（又は、閾値未満である）場合にはＤ／Ｕが低いと判断するような仕方を用いることができる。
また、送信側の装置において信号伝送に使用する伝送帯域の制御を行う態様としては、種々な態様が用いられてもよく、例えば、予め設定された条件（制御の仕方の内容）に基づいて制御を行うような態様を用いることができる。
【００１１】
また、伝送帯域の制御の仕方の内容としては、一例として、ＯＦＤＭ変調方式が用いられる場合に、受信側の装置における受信電界の値や送信側の装置における送信データの量に基づいて、キャリア数や変調モードの設定を変更するような制御の仕方の内容を用いることができる。具体的には、Ｄ／Ｕが悪い場合には、キャリア数を少なくする一方、変調モードをより高い伝送レートのものへ変更する。
また、例えば、Ｄ／Ｕの値に関して複数の範囲を設けておき、各範囲毎に制御の仕方の内容を設定しておいて、Ｄ／Ｕの値が属する範囲に応じた制御の仕方の内容を用いて伝送帯域の制御を行うような態様を用いることも可能である。
【発明の効果】
【００１２】
以上説明したように、本発明に係る伝送装置によると、送信側の装置から受信側の装置へ信号を伝送するに際して、受信側の装置における受信品質の情報に基づいて送信側の装置がＤ／Ｕが低いと判断した場合には信号の伝送に使用する伝送帯域を狭めるようにしたため、例えば、受信側の装置におけるＤ／Ｕの特性が劣化した場合においても、効率的な伝送を行うことができる。
【発明を実施するための最良の形態】
【００１３】
本発明に係る実施例を図面を参照して説明する。
図３には、本発明の一実施例に係る伝送装置の構成例を示してある。
本例の伝送装置は、送信側の装置として送信制御部（ＴＣ）７１と送信高周波部（ＴＨ）７２を有しており、受信側の装置として受信高周波部（ＲＨ）７３と受信制御部（ＲＣ）７４を有しており、送信側の装置と受信側の装置との間にマイクロ回線８１とＬＡＮ（Ｌｏｃａｌ  Ａｒｅａ  Ｎｅｔｗｏｒｋ）回線８２を有している。
【００１４】
本例の伝送装置において行われる概略的な動作の一例を示す。
送信側の装置では、送信制御部７１が送信対象となるデータを例えばＯＦＤＭ変調方式によりデジタル変調し、当該変調信号を送信高周波部７２がマイクロ回線８１へ送信する。
受信側の装置では、受信高周波部７３がマイクロ回線８１を介して送信側の装置からの信号を受信し、当該受信信号を受信制御部７４が復調する。
【００１５】
また、本例では、受信高周波部７３が例えばＤ／Ｕなどに関する受信品質の情報を取得して、当該情報を受信側の装置からＬＡＮ回線８２を介して送信制御部７１へ送信し、送信制御部７１が当該情報に基づいて送信に使用するキャリア数や変調モードを切り換える。
【００１６】
以下で、更に詳しく説明する。
図１には、本例の受信高周波部（ＲＨ）７３の構成例を示してある。
本例の受信高周波部７３は、低雑音増幅器（ＬＮＡ）１と、減衰器（ＰＩＮ  ＡＴＴ）２と、ローカル発振器３と、ミキサ（ＭＩＸ）４と、低域通過フィルタ（ＬＰＦ）５と、増幅器２１及びＳＡＷ（Ｓｕｒｆａｃｅ  Ａｃｏｕｓｔｉｃ  Ｗａｖｅ）フィルタ２２を有するＳＡＷユニット６と、減衰器２３及び増幅器２４を有するＩＦ（Ｉｎｔｅｒｍｅｄｉａｔｅ  Ｆｒｅｑｕｅｎｃｙ）ユニット７と、ダイオード３１及びコンデンサ３２を用いて構成された検波回路８と、ダイオード３３及びコンデンサ３４を用いて構成された検波回路９と、コンパレータ１０と、比較器４１及びＲＯＭ（Ｒｅａｄ  Ｏｎｌｙ  Ｍｅｍｏｒｙ）４２を有するＣＰＵ（Ｃｅｎｔｒａｌ  Ｐｒｏｃｅｓｓｉｎｇ  Ｕｎｉｔ）１１と、スイッチ（ＳＷ）１２と、表示器１３と、電話回線（ＴＥＬ回線）１４を備えている。
【００１７】
ここで、ＳＡＷユニット６では、増幅器２１とＳＡＷフィルタ２２が直列に接続されている。
また、ＩＦユニット７では、減衰器２３と増幅器２４が直列に接続されており、増幅器２４からの出力の一部が減衰器２３へフィードバックされて減衰器２３の減衰率が可変に制御される。
また、各検波回路８、９では、信号の線路にダイオード３１、３３が設けられており、ダイオード３１、３３の出力側の点と接地との間にコンデンサ３２、３４が設けられている。
【００１８】
本例の受信高周波部７３において行われる動作の一例を示す。
マイクロ回線８１を介して送信側の装置から伝送されてきた信号が受信されてＬＮＡ１に入力される。
ＬＮＡ１は、入力された信号を増幅して減衰器２へ出力する。
減衰器２は、コンパレータ１０からの入力信号に応じて減衰率が制御され、ＬＮＡ１から入力された信号を減衰させてミキサ４へ出力する。
ローカル発振器３は、所定の周波数の信号（ローカル信号）を発振してミキサ４へ出力する。
【００１９】
ミキサ４は、減衰器２から入力された信号とローカル発振器３から入力された信号とを乗算（ミキシング）して周波数変換し、その結果の信号をＬＰＦ５へ出力する。
ＬＰＦ５は、ミキサ４から入力された信号をフィルタリングしてＳＡＷユニット６及びダイオード３１へ出力する。
【００２０】
ＳＡＷユニット６は、ＬＰＦ５から入力された信号を増幅器２１により増幅してＳＡＷフィルタ２２によりフィルタリングしてＩＦユニット７及びダイオード３３へ出力する。
ここで、ＳＡＷフィルタ２２は、フィルタリング対象となる受信信号に含まれる希望信号（Ｄｅｓｉｒｅｄ  ｓｉｇｎａｌ）を通過させ、当該受信信号に含まれる干渉などの非希望信号（Ｕｎｄｅｓｉｒｅｄ  ｓｉｇｎａｌ）を通過させずに除去するような特性を有している。なお、この特性は、現実の回路では、完全に理想的な特性となるとは限らない。
ＩＦユニット７は、ＳＡＷユニット６から入力された信号を減衰器２３により減衰させて増幅器２４により増幅し、その結果の信号を受信制御部７４へ出力する。ここで、増幅器２４からの出力の一部がフィードバックされて減衰器２３の減衰率が制御される。
【００２１】
ダイオード３１を用いて構成された検波回路８は、ＬＰＦ５から入力された信号を検波して、当該検波結果の信号（本例では、ＬＰＦ５から入力された信号の電圧レベルの情報）をコンパレータ１０及びＣＰＵ１１へ出力する。ここで、ＬＰＦ５からの信号には、希望信号と非希望信号が含まれる。
ダイオード３３を用いて構成された検波回路９は、ＳＡＷユニット６から入力された信号を検波して、当該検波結果の信号（本例では、ＳＡＷユニット６から入力された信号の電圧レベルの情報）をＣＰＵ１１へ出力する。ここで、ＳＡＷユニット６からの信号には、（非希望信号が理想的に除去されたとすると）希望信号が含まれる。
【００２２】
コンパレータ１０は、検波回路８（ダイオード３１）から入力された電圧レベルと設定された所定の電圧レベルとを比較し、当該比較結果を表す信号（本例では、電圧レベルの信号）を減衰器２及びＣＰＵ１１へ出力する。減衰器２では、この信号により減衰率が制御される。
ＣＰＵ１１の比較器４１は、検波回路９（ダイオード３３）からの電圧レベルの信号（２）と、検波回路８（ダイオード３１）からの電圧レベルの信号（３）と、コンパレータ１０からの電圧レベルの信号（４）を入力し、例えば、これらの信号（２）、（３）、（４）とＲＯＭ４２に記憶された演算式などの情報に基づいて、受信品質に関する値を演算し、当該演算結果の情報を表示器１３及び電話回線１４へ出力する。
【００２３】
ここで、本例では、希望信号として本線チャンネルの信号を用いており、非希望信号として隣接チャンネルの信号を用いている。
また、本例では、受信品質に関する値として、入力受信電界値（ＢＬ値）と、希望信号（本線チャンネル信号）と非希望信号（隣接チャンネル信号）との差を表すＤ／Ｕ値を用いている。
【００２４】
本例の受信高周波部では、例えば、隣接チャンネル信号があると判別された場合には、本線チャンネル信号と隣接チャンネル信号が足された信号の情報（４）から、本線チャンネル信号と隣接チャンネル信号との差分の情報｛（３）−（２）｝を引いたもので、入力受信電界値及びＤ／Ｕ値を演算し、これらの演算結果を表示することを可能としている。
【００２５】
スイッチ１２は、例えば、操作者（人）により行われる操作に応じて、入力受信電界値（ＢＬ値）とＤ／Ｕ値のうちで表示させる値を切り換えるための信号をＣＰＵ１１へ出力する。
ＣＰＵ１１の比較器４１は、スイッチ１２から入力された信号に応じて、表示させる値を演算する。この演算結果の情報は表示器１３及び電話回線１４へ出力される。
表示器１３は、ＣＰＵ１１の比較器４１から入力された値の情報（本例では、入力受信電界値（ＢＬ値）又はＤ／Ｕ値）を画面などに表示出力する。
電話回線１４は、受信制御部７４と接続されており、ＣＰＵ１１の比較器４１から入力された値の情報（本例では、入力受信電界値（ＢＬ値）及びＤ／Ｕ値）を受信制御部７４へ送信出力する。
【００２６】
このように、本例の受信高周波部では、入力受信電界値（ＢＬ値）とＤ／Ｕ値をメータの表示に使用するだけではなく、これらの値のデータを受信制御部７４へ送る。
受信制御部７４は、受信高周波部７３から受信した入力受信電界値（ＢＬ値）のデータ及びＤ／Ｕ値のデータをＬＡＮ回線８２を介して送信制御部７１へ送信する。
【００２７】
図２には、本例の送信制御部（ＴＣ）７１の構成例を示してある。
本例の送信制御部（ＴＣ）７１は、データ変換ユニット５１と、デジタル変調基板５２と、ＬＡＮボード６１を有したＣＰＵ５３と、キャリア数切換スイッチ５４と、変調モード切換スイッチ５５を備えている。
【００２８】
本例の送信制御部７１において行われる動作の一例を示す。
データ変換ユニット５１は、送信対象となるデータをデジタル変調基板５２へ出力するとともに、送信対象となるデータの量を特定する情報をＣＰＵ５３へ出力する。
デジタル変調基板５２は、データ変換ユニット５１から入力されたデータを例えばＯＦＤＭ変調方式によりデジタル変調し、当該変調信号（例えば、１３０ＭＨｚの信号）を送信高周波部７２へ出力する。
【００２９】
ここで、デジタル変調基板５２により行われる変調では、キャリア数切換スイッチ５４からの信号によりキャリアの数が切り換えられ、また、変調モード切換スイッチ５５からの信号により変調モードが切り換えられる。
具体的には、ＯＦＤＭ変調方式におけるキャリアの数と、各キャリアで使用する変調モードを切り換えることが可能である。
【００３０】
本例では、キャリア数として、所定の複数個ｎに対して、（１／１）倍の数（つまり、ｎ個）のキャリアを使用する態様と、（２／３）倍の数（つまり、２ｎ／３個）のキャリアを使用する態様と、（１／２）倍の数（つまり、ｎ／２個）のキャリアを使用する態様を切り換えることが可能である。
また、本例では、変調モードとして、１６ＱＡＭ（Ｑｕａｄｒａｔｕｒｅ  Ａｍｐｌｉｔｕｄｅ  Ｍｏｄｕｌａｔｉｏｎ）を使用する態様と、３２ＱＡＭを使用する態様と、６４ＱＡＭを使用する態様を切り換えることが可能である。
【００３１】
ＣＰＵ５３は、受信制御部７４からＬＡＮ回線８２を介して伝送されてきた受信品質に関する情報をＬＡＮボード６１により受信して取り込む。本例では、受信品質に関する情報として、入力受信電界値（ＢＬ値）のデータ及びＤ／Ｕ値のデータが用いられている。
また、ＣＰＵ５３は、データ変換ユニット５１から送信対象となるデータの量を特定する情報を入力する。
また、ＣＰＵ５３では、例えば予め、内部のメモリに、Ｄ／Ｕ値に関する閾値（ＭＩＮ値）が設定されて記憶されているとともに、送信対象となるデータの量や入力受信電界値（ＢＬ値）に応じて使用するキャリア数及び変調モードを決定するための条件が設定されて記憶されている。
【００３２】
そして、ＣＰＵ５３は、受信制御部７４から通知されたＤ／Ｕ値と内部のメモリに記憶された閾値とを比較して、Ｄ／Ｕ値が閾値以下である（又は、閾値未満である）場合、つまり、Ｄ／Ｕ値が閾値と比べて悪い場合には、Ｄ／Ｕ値の劣化を回避するために、内部のメモリに記憶された条件に基づいて、キャリア数と変調モードを再設定する。
【００３３】
ＣＰＵ５３は、キャリア数切換スイッチ５４を制御することによりキャリア数を設定し、変調モード切換スイッチ５５を制御することにより変調モードを設定する。
キャリア数切換スイッチ５４は、ＣＰＵ５３からの制御に応じて、キャリア数を設定する（例えば、切り換える）ための信号をデジタル変調基板５２へ出力する。
変調モード切換スイッチ５５は、ＣＰＵ５３からの制御に応じて、変調モードを設定する（例えば、切り換える）ための信号をデジタル変調基板５２へ出力する。
【００３４】
ここで、本例では、変調の態様の設定として、キャリア数と変調モードの組み合わせを切り換える。具体的には、Ｄ／Ｕ値が劣化した場合には、キャリア数を減らして、変調モードを上げる。一般的に、Ｄ／Ｕ値を良くするためには、キャリアの本数を減らして伝送帯域を狭くすることが有効であるが、キャリア数を減らして変調モードを上げた場合には、受信電界が高いときにしか使用することができない。そこで、本例では、キャリア数を減らす程度や、変調モードを上げる程度は、伝送する信号の容量（本例では、送信対象となるデータの量）と受信電界（本例では、入力受信電界値（ＢＬ値））の関係から決定するようにしており、その条件が設定されている。
【００３５】
このように、本例の伝送装置では、受信高周波部７３がＤ／Ｕ値の情報とＢＬ値の情報を電話回線１４により受信制御部７４へ送り、受信制御部７４がこれらの値の情報をＬＡＮ回線８２により送信制御部７１へ送る。
そして、送信側（送信機）では、受信側（受信機）から送られてきた現在のＤ／Ｕ値の情報とＢＬ値の情報に基づいて、Ｄ／Ｕ値が悪いと判断した場合には、送信機におけるＯＦＤＭ変調波のキャリア数を減らして、つまり伝送帯域を狭めて、隣のチャンネル（ＣＨ）などの影響を減らすことにより、回避する。この場合に、キャリア数を減らすと伝送できるデータが少なくなるため、変調モードを高レートにする必要がでてくるが、受信電界との兼ね合いで調整する。具体的には、受信電界や伝送しているデータ量に基づく判断により、極力伝送帯域を狭めて、Ｄ／Ｕ値の劣化を回避する制御を行う。
【００３６】
また、本例では、送信制御部７１は、当該送信制御部７１で設定されたキャリア数や変調モードの情報を伝送される信号（本例では、ＯＦＤＭ変調波）に重畳する。そして、受信側では、受信信号に含まれる情報に基づいてキャリア数や変調モードを自動的に設定するモード（ＡＵＴＯモード）を設定しておくことにより、自動的に設定を変更して受信処理を行う。
【００３７】
以上のように、本例の伝送装置では、デジタル方式により送信側から受信側へデータを伝送するに際して、Ｄ／Ｕが悪い場合には、自己のチャンネルの伝送帯域を狭めて、回避することを行う。また、Ｄ／Ｕが悪いという判断は、受信側で検出されたＤ／Ｕ値を送信側へ送ることにより、行う。また、送信側では、Ｄ／Ｕ値が悪いと判断した場合には、受信電界と伝送するデータ量に基づいて、伝送帯域をどの程度狭められるかを判断して、制御を行う。
【００３８】
従って、本例の伝送装置では、例えば、放送局などにおける運用によっては、Ｄ／Ｕが極端に悪くなることがあるが、このような事態を回避して、効率的な伝送を行うことができる。
例えば、受信側でのＤ／Ｕ値が悪い場合に伝送する装置のチャンネルを変えて回避するような方法では、放送局に与えられるチャンネルの数が少なく他のチャンネルを使用することができないようなときには、運用に支障をきたしてしまう。これに対して、本例の伝送装置では、運用に制限がかかる可能性はあるが、全く運用ができなくなることを極端に減らすことができると考えられる。また、本例では、受信電界と入力されるデータの容量に基づいて、キャリア数や変調モードの最適値が自動的に設定されるため、運用が簡便である。
【００３９】
なお、本例の伝送装置では、送信制御部（ＴＣ）７１や送信高周波部（ＴＨ）７２により送信側の装置が構成されており、受信高周波部（ＲＨ）７３や受信制御部（ＲＣ）７４により受信側の装置が構成されている。
また、本例の受信側の装置では、受信高周波部７３において、受信処理系１〜７を用いて送信側の装置からの信号を受信する機能により受信手段が構成されており、検波回路８、９やコンパレータ１０を用いてＣＰＵ１１の比較器４１が受信品質（本例では、入力受信電界値（ＢＬ値）やＤ／Ｕ値）を検出する機能により品質検出手段が構成されており、ＣＰＵ１１の比較器４１から電話回線１４や受信制御部７４やＬＡＮ回線８２を介して送信側の装置へ受信品質の情報を送信する機能により品質情報送信手段が構成されている。
また、本例の送信側の装置では、送信制御部７１において、ＣＰＵ５３がＬＡＮボード６１を介して受信側の装置から送信された受信品質の情報を受信する機能により品質情報受信手段が構成されており、データ変換ユニット５１やデジタル変調基板５２によりデータを送信する場合にＣＰＵ５３がキャリア数切換スイッチ５４や変調モード切換スイッチ５５を制御してキャリア数や変調モードを制御する機能によりデータ送信手段が構成されている。
【００４０】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４１】
【図１】本発明の一実施例に係る伝送装置の受信高周波部（ＲＨ）の構成例を示す図である。
【図２】本発明の一実施例に係る伝送装置の送信制御部（ＴＣ）の構成例を示す図である。
【図３】本発明の一実施例に係る伝送装置の構成例を示す図である。
【図４】伝送装置の受信高周波部（ＲＨ）の構成例を示す図である。
【符号の説明】
【００４２】
１・・低雑音増幅器（ＬＮＡ）、  ２・・減衰器（ＰＩＮ  ＡＴＴ）、  ３・・ローカル発振器、  ４・・ミキサ（ＭＩＸ）、  ５・・低域通過フィルタ（ＬＰＦ）、  ６・・ＳＡＷユニット、  ７・・ＩＦユニット、  ８、９・・検波回路、  １０・・コンパレータ、  １１、５３・・ＣＰＵ、  １２・・スイッチ（ＳＷ）、  １３・・表示器、  １４・・電話回線（ＴＥＬ回線）、  ２１、２４・・増幅器、  ２２・・ＳＡＷフィルタ、  ２３・・減衰器（ＡＴＴ）、  ３１、３３・・ダイオード、  ３２、３４・・コンデンサ、  ４１・・比較器、  ４２・・ＲＯＭ、  ５１・・データ変換ユニット、  ５２・・デジタル変調基板、  ５４・・キャリア数切換スイッチ、  ５５・・変調モード切換スイッチ、  ６１・・ＬＡＮボード、  ７１・・送信制御部（ＴＣ）、  ７２・・送信高周波部（ＴＨ）、  ７３・・受信高周波部（ＲＨ）、  ７４・・受信制御部（ＲＣ）、  ８１・・マイクロ回線、  ８２・・ＬＡＮ回線、
【図１】
2008236664.tif 000003
【図２】
2008236664.tif 000004
【図３】
2008236664.tif 000005
【図４】
2008236664.tif 000006